(57)【要約】複雑で高価な紙幣カセット機構を有する装置によらず、簡単で安価な装置であっても処理時間を短縮できる取引処理装置および紙幣計数方法を提供する。カセット内の紙幣を搬送して精査する取引処理装置であって、精査対象となる紙幣を収納する複数の収納カセットと、紙幣を収納していない空カセットと、収納カセットと空カセットとの間で紙幣を搬送する搬送機構部と、収納カセットまたは空カセットに収納された紙幣を繰り出し、計数しながら搬送機構部によって別のカセットに搬送させる制御部と、を備え、制御部は、複数の収納カセットのうちの一のカセットに収納されている紙幣を空カセットに搬送し、空カセットに紙幣を搬送した後の空の収納カセットに他の収納カセットの紙幣を繰り出し、計数しながら搬送機構部によって別のカセットに繰り返し搬送させることにより紙幣を精査する第一の精査処理を実行する、ことを特徴とする。
2014115574.tif 000002
【特許請求の範囲】
【請求項１】
カセット内の紙幣を搬送して精査する取引処理装置であって、
精査対象となる紙幣を収納する複数の収納カセットと、
前記紙幣を収納していない空カセットと、
前記収納カセットと前記空カセットとの間で前記紙幣を搬送する搬送機構部と、
前記収納カセットまたは前記空カセットに収納された紙幣を繰り出し、計数しながら前記搬送機構部によって別のカセットに搬送させる制御部と、を備え、
前記制御部は、前記複数の収納カセットのうちの一のカセットに収納されている紙幣を前記空カセットに搬送し、前記空カセットに前記紙幣を搬送した後の空の前記収納カセットに他の収納カセットの紙幣を繰り出し、計数しながら前記搬送機構部によって別のカセットに繰り返し搬送させることにより前記紙幣を精査する第一の精査処理を実行する、
ことを特徴とする取引処理装置。
【請求項２】
前記複数のカセットのそれぞれに収納されている紙幣の搬送元と搬送先とを対応付けた搬送テーブルと、各カセットと前記各カセットに対する論理カセットと前記論理カセットに収納されている紙幣の種類とを対応付けたカセット管理テーブルとを記憶する記憶部と、
前記論理カセットに対応するカセットに収納された紙幣の種類を示すラベルと、前記ラベルによって識別される紙幣が収納されていることを示すランプとを有した表示部と、をさらに備え、
前記制御部は、前記第一の精査処理を実行した場合、前記カセット管理テーブルに記憶されている前記搬送元のカセットおよび前記搬送先のカセットに対応する論理カセットに収納されている種類の紙幣が収納されていることを示すランプを点灯させるように前記表示部を制御する、
ことを特徴とする請求項１に記載の取引処理装置。
【請求項３】
前記表示部は、前記第一の精査処理と、前記複数の収納カセットのうちの一のカセットに収納されている紙幣を前記空カセットに搬送し、前記空カセットに搬送された紙幣を繰り出し、計数しながら前記搬送機構部によって元のカセットに繰り返し搬送させることにより前記紙幣を精査する第二の精査処理との選択を受け付け、
前記制御部は、前記表示部が受け付けた前記第一の精査処理または前記第二の精査処理を実行して前記紙幣を精査する、
ことを特徴とする請求項１または２に記載の取引処理装置。
【請求項４】
前記各カセットおよび前記論理カセットには、特定の種類の紙幣を収納する特定カセットを含み、
前記制御部は、前記特定カセットに対しては前記第二の精査処理を実行し、前記特定カセット以外のカセットに対しては前記第一の精査処理を実行する、
ことを特徴とする請求項１〜３のいずれか１項に記載の取引処理装置。
【請求項５】
前記カセットは複数の種類の紙幣を収納するための複数の収納部を有し、
前記制御部は、前記カセットが有する収納部と前記カセットが有する他の収納部との間、または前記カセットが有する収納部と別のカセットが有する収納部との間で前記第一の精査処理を実行する、
ことを特徴とする請求項１〜４のいずれか１項に記載の取引処理装置。
【請求項６】
カセット内の紙幣を搬送して精査する取引処理装置で行われる紙幣計数方法であって、
精査対象となる紙幣を収納する複数の収納カセットまたは前記紙幣を収納していない空カセットに収納された紙幣を繰り出し、計数しながら前記収納カセットと前記空カセットとの間で前記紙幣を搬送する搬送機構部によって別のカセットに搬送させる制御部が、前記複数の収納カセットのうちの一のカセットに収納されている紙幣を前記空カセットに搬送する第一の搬送ステップと、前記空カセットに前記紙幣を搬送した後の空の前記収納カセットに他の収納カセットの紙幣を繰り出す繰り出しステップと、繰り出された紙幣を計数しながら前記搬送機構部によって別のカセットに繰り返し搬送させる第二の搬送ステップと、
を含むことを特徴とする紙幣計数方法。
【発明の詳細な説明】
【技術分野】
【０００１】
本発明は、例えば、ＡＴＭ(Automated  Teller  Machine：現金自動預け払い機)等の取引処理装置および紙幣を計数する際の紙幣自動精査機能に関する。
【背景技術】
【０００２】
ＡＴＭにおいて紙幣カセット内の紙幣枚数の管理は最も基本的な機能である。通常、紙幣枚数の管理は、最初にカセットに装填した紙幣の枚数に対して、入金取引で収納した枚数を加算し、出金取引で繰り出した枚数を減算することで行う。しかし、取引中の紙幣つまりや装填枚数の設定誤りなどの理由により、管理されている枚数が必ずしも実際の枚数と一致するとは限らない。このため、各カセット内の紙幣枚数を１枚ずつ搬送して計数することによって管理枚数を実際の枚数に一致させる紙幣精査機能が広く運用されている。【０００３】
紙幣精査を実現する従来一般技術として、運用カセットとして設けられた空のカセットを利用する方式がある。この方式においては、精査対象のカセットから紙幣を計数しながら運用カセットに搬送し、当該カセットの全紙幣を搬送した後は、運用カセットの紙幣を元の精査対象カセットに搬送して戻すことで、一つの精査対象カセットの計数が完了する。
しかし、紙幣を１枚ずつ搬送するので、すべての精査対象カセットの紙幣を計数するためには長時間を要するという問題があり、これを改善するため、例えば、運用カセットを設けずに精査対象カセットに開閉可能なセパレータを設置してカセット内を２室に分離し、紙幣を一方の部屋から他方の部屋へ計数しながら搬送することで搬送回数を削減して所要時間を短縮する方式が提案されている。（特許文献１参照）
【先行技術文献】
【特許文献】
【０００４】
【特許文献１】特開平１０−２１４３６５号公報
【発明の概要】
【発明が解決しようとする課題】
【０００５】
前記従来一般技術においては、精査対象カセットから運用カセットへの搬送が往復になるので、カセット間の搬送回数が精査対象カセット数の２倍となり、所要時間が長いという課題がある。【０００６】
一方、特許文献１の方式においては、運用カセットがなく、カセット間の往復搬送が不要なので、精査の所要時間が短い。しかしながら、各カセットには開閉可能なセパレータ機構を必要とし、さらにセパレータで分離した２室のそれぞれに対して、繰り出し、収納の機構も必要であるため、装置が複雑で高価になるという課題がある。【０００７】
本発明の目的は、複雑且つ高価なカセット機構によらず、従来からある一般的なカセット機構であっても、処理時間の一定の短縮を実現できる技術を提供することである。
【課題を解決するための手段】
【０００８】
上述した課題を解決し、目的を達成するために、本発明にかかる取引処理装置は、カセット内の紙幣を搬送して精査する取引処理装置であって、精査対象となる紙幣を収納する複数の収納カセットと、前記紙幣を収納していない空カセットと、前記収納カセットと前記空カセットとの間で前記紙幣を搬送する搬送機構部と、前記収納カセットまたは前記空カセットに収納された紙幣を繰り出し、計数しながら前記搬送機構部によって別のカセットに搬送させる制御部と、を備え、前記制御部は、前記複数の収納カセットのうちの一のカセットに収納されている紙幣を前記空カセットに搬送し、前記空カセットに前記紙幣を搬送した後の空の前記収納カセットに他の収納カセットの紙幣を繰り出し、計数しながら前記搬送機構部によって別のカセットに繰り返し搬送させることにより前記紙幣を精査する第一の精査処理を実行する、ことを特徴とする。【０００９】
また、本発明は、上記取引処理装置で行われる紙幣計数方法である。
【発明の効果】
【００１０】
本発明によれば、複雑で高価な紙幣カセット機構を有する装置によらず、簡単で安価な装置であっても処理時間を短縮できる取引処理装置および紙幣計数方法を提供することができる。
【図面の簡単な説明】
【００１１】
【図１】現金自動預け払い機の概要図。
【図２】現金自動預け払い機の内部構成図。
【図３】紙幣機構部の概要図。
【図４】ＬＥＤ表示部の概要図。
【図５Ａ】自動精査実施画面のイメージ図（第１の実施形態：メインメニュー）。
【図５Ｂ】自動精査実施画面のイメージ図（第１の実施形態：管理メニュー）。
【図５Ｃ】自動精査実施画面のイメージ図（第１の実施形態：自動精査前）。
【図５Ｄ】自動精査実施画面のイメージ図（第１の実施形態：実施手段選択）。
【図５Ｅ】自動精査実施画面のイメージ図（第１の実施形態：精査中）。
【図５Ｆ】自動精査実施画面のイメージ図（第１の実施形態：終了）。
【図６】自動精査前後ＬＥＤ表示変化のイメージ図（第１の実施形態）。
【図７】搬送制御テーブル（第１の実施形態）。
【図８】カセット管理テーブル(第１の実施形態)。
【図９Ａ】自動精査流れのイメージ図（第１の実施形態）。
【図９Ｂ】自動精査流れのイメージ図（第１の実施形態）。
【図９Ｃ】自動精査流れのイメージ図（第１の実施形態）。
【図９Ｄ】自動精査流れのイメージ図（第１の実施形態）。
【図９Ｅ】自動精査流れのイメージ図（第１の実施形態）。
【図９Ｆ】自動精査流れのイメージ図（第１の実施形態）。
【図９Ｇ】自動精査流れのイメージ図（第１の実施形態）。
【図９Ｈ】自動精査流れのイメージ図（第１の実施形態）。
【図９Ｉ】自動精査流れのイメージ図（第１の実施形態）。
【図１０】自動精査時の処理フロー図。
【図１１Ａ】自動精査実施画面のイメージ図（第２の実施形態：メインメニュー）。
【図１１Ｂ】自動精査実施画面のイメージ図（第２の実施形態：管理メニュー）。
【図１１Ｃ】自動精査実施画面のイメージ図（第２の実施形態：自動精査前）。
【図１１Ｄ】自動精査実施画面のイメージ図（第２の実施形態：実施手段選択）。
【図１１Ｅ】自動精査実施画面のイメージ図（第２の実施形態：オプションモード選択）。
【図１１Ｆ】自動精査実施画面のイメージ図（第２の実施形態：精査中）。
【図１１Ｇ】自動精査実施画面のイメージ図（第２の実施形態：終了）。
【図１２】自動精査前後ＬＥＤ表示変化のイメージ図（第２の実施形態）。
【図１３】搬送制御テーブル（第２の実施形態）。
【図１４】カセット管理テーブル(第２の実施形態)。
【図１５Ａ】自動精査流れのイメージ図（第２の実施形態）。
【図１５Ｂ】自動精査流れのイメージ図（第２の実施形態）。
【図１５Ｃ】自動精査流れのイメージ図（第２の実施形態）。
【図１５Ｄ】自動精査流れのイメージ図（第２の実施形態）。
【図１５Ｅ】自動精査流れのイメージ図（第２の実施形態）。
【図１５Ｆ】自動精査流れのイメージ図（第２の実施形態）。
【図１５Ｇ】自動精査流れのイメージ図（第２の実施形態）。
【図１５Ｈ】自動精査流れのイメージ図（第２の実施形態）。
【図１５Ｉ】自動精査流れのイメージ図（第２の実施形態）。
【図１５Ｊ】自動精査流れのイメージ図（第２の実施形態）。
【図１５Ｋ】自動精査流れのイメージ図（第２の実施形態）。
【図１６Ａ】自動精査流れのイメージ図（変形例）。
【図１６Ｂ】自動精査流れのイメージ図（変形例）。
【図１６Ｃ】自動精査流れのイメージ図（変形例）。
【図１６Ｄ】自動精査流れのイメージ図（変形例）。
【図１７】搬送制御テーブル（変形例）。
【発明を実施するための形態】
【００１２】
（実施例１）
以下に添付図面を参照して、本発明にかかる取引処理装置および現金計数方法の実施の形態を詳細に説明する。以下では、本発明にかかる取引処理装置および現金計数方法をＡＴＭ(Automated  Teller  Machine：現金自動預け払い機)に適用した場合について説明しているが、紙幣を搬送して計数する機能を有している様々な装置に適用することが可能である。まず、図１から図４を参照して、ＡＴＭ１の構成を説明する。
【００１３】
図１に示すように、ＡＴＭ１は、金融機関などに設置され、顧客の要求する現金の入金や出金など種々の取引を自動的に実行する装置である。ＡＴＭ１は、図２に示すように、主に金融機関係員操作部２、一般ユーザー操作部３、カード／明細票機構部４、通帳機構部５、紙幣機構部６、硬貨機構部７、そしてこれら各部を制御する制御部８などを有して構成されている。
【００１４】
金融機関係員操作部２は、例えば、タッチパネルで構成され、金融機関の係員あるいは行員からＡＴＭ１の設定や管理を行うための各種の操作を受け付ける。例えば、金融機関係員操作部２は、紙幣収納カセット（後述）の紙幣種類の設定や、紙幣収納カセット内の紙幣枚数の確認のための操作を受け付ける。一般ユーザー操作部３は、例えば、タッチパネルで構成され、顧客から取引を行うための各種の操作を受け付ける。例えば、一般ユーザー操作部３は、誘導画面を表示したり、暗証番号や金額などの入力操作を受け付ける。カード／明細票機構部４は、顧客のカードの挿入と排出、カードから情報の読取りとカードへ情報の書込などの処理を行う。また、カード／明細票機構部４は、取引した内容を明細票に印字し、装置内から排出する。通帳機構部５は、顧客の通帳の挿入と排出、磁気データの読取り、通帳ページへの印字など機能を有する。
【００１５】
紙幣機構部６は、紙幣収納カセットを備え、紙幣の受取、排出、鑑別、搬送、収納、などの機能を有する。紙幣収納カセットは、図３に示すように、紙幣機構部６の下部に設けられ、リサイクルボックス(以下ＲＢとする)ＲＢ５１、ＲＢ５２、ＲＢ５３、ＲＢ５５および回収庫５４を有している。また、本実施形態においてはＲＢ５１、ＲＢ５２およびＲＢ５３を精査対象カセットとする。ＲＢ５５は運用カセットとして使われるため、空状態である。また、それぞれのＲＢにはＬＥＤ表示部５６が取り付けられる。
【００１６】
ＬＥＤ表示部５６は、図４に示すように、紙幣種類など情報が記入されたラベル５７と、それぞれのラベル５７に対応付けられたＬＥＤランプ５８を有し、制御部８からの指示によってランプが点灯することにより、ＲＢの紙幣種類など情報を明示する。本実施形態においては、ＬＥＤ表示部５６には日本円の万円札、五千札、千円札および運用カセットを表示するラベル５７が貼付けられ、これらの各表示の下にあるＬＥＤランプのいずれか一つが点灯することで、当該ＲＢの役割を示すものとする。
【００１７】
硬貨機構部７は、硬貨の入出金、鑑別、搬送、収納などの機能を有する。制御部８は、ＣＰＵやメモリなどから構成され、上述した各部の動作を制御し、メモリにはＡＴＭが動作するために必要なプログラムやデータが記憶されている。
【００１８】
次に、図５Ａ〜Ｆ、図６、図７、図８、図９Ａ〜９Ｉ、図１０を参照して、ＡＴＭの動きを説明する。
【００１９】
図５Ａ〜Ｆは、自動精査実施画面のイメージ図である。まず、ＡＴＭ１の金融機関係員操作部２が、金融機関係員操作メインメニュー画面(図５Ａ))を表示し、係員から「管理」ボタンの押下を受け付けると、管理メニュー画面(図５Ｂ))を表示する。次に、操作部２は、管理メニュー画面(図５Ｂ))で「自動精査」の選択を受け付けると、自動精査前、カセット情報確認画面(図５Ｃ))を表示する。この画面において、係員がＲＢ１、ＲＢ２、ＲＢ３の紙幣種類と枚数を確認した後、操作部２が「次へ」の押下を受け付けると、実施手段選択画面(図５Ｄ))が表示される。
【００２０】
この画面では、「一般(各カセット内紙幣互換なし)」と「高速(各カセット内紙幣互換あり)」二つのボタンがある。「一般(各カセット内紙幣互換なし)」は、各精査対象カセットに対して、紙幣を運用カセットに搬送して、その後、元の精査対象カセットに計数しながら戻すという従来一般手法に基づく紙幣精査を行うためのボタンである。本実施形態においては、操作部２は、係員から「高速(各カセット内紙幣互換あり)」の選択を受け付ける。そして、操作部２は、「次へ」の押下を受け付けると、精査中画面(図５Ｅ))が表示され、精査動作が始まる。精査終了後、終了画面(図５Ｆ))が表示される。この画面で、係員が精査後カセットの紙幣種類と枚数を確認した後、操作部２は、「終了」の押下を受け付ける。このように、操作部２に実施手段選択画面が表示されるので、係員は、ＡＴＭが設置されている環境に応じて、速度を変えて紙幣精査処理を実行させることができる。例えば、ＡＴＭが繁華街等の人通りの多い場所に設置され、その環境に合わせて多量の紙幣を収納することができるカセットを有している場合には、効率を重視して「高速(各カセット内紙幣互換あり)」機能を選択して実行させる一方、人通りの少ない場所に設置され、少量の紙幣を収納することができるカセットを有している場合には、「一般(各カセット内紙幣互換なし)」機能を選択して実行させるようにしてもよい。
【００２１】
図６は、自動精査前後のＬＥＤ表示のイメージ図である。ここでは、ａ）自動精査実施前において、操作部２は、ＲＢ１には１万円札、ＲＢ２には五千円札、ＲＢ３には千円札がそれぞれ収納され、ＲＢ５が運用カセットであることをＬＥＤによって示している。そして、ｂ）自動精査実施後において、操作部２は、ＲＢ１には五千円札、ＲＢ２には千円札、ＲＢ３には１万円札がそれぞれ収納されるように変化し、ＲＢ５は引き続き運用カセットであることを示している。このように、カセットに収納されている紙幣の種類に対応したＬＥＤを点灯表示させることにより、係員は容易にカセットに収納されている紙幣の種類を認識することができる。また、紙幣精査後であっても、精査後のカセットに収納されている紙幣の種類を容易に認識することができる。
【００２２】
図７は、搬送制御テーブルの例を示す図である。搬送制御テーブルは、紙幣精査処理の中で搬送処理を行うカセットとその順序を記述するテーブルである。リスト順番２０１は、搬送処理の順序を示す数値である。搬送元２０１は、各搬送処理における搬送元のカセットである。搬送先２０３は、各搬送処理における搬送先のカセットである。紙幣精査処理においては、このテーブルの記述に従い、まず、最初にＲＢ１から運用カセットに紙幣が搬送される。二番目にＲＢ２からＲＢ１に紙幣が搬送される。三番目にＲＢ３からＲＢ２に紙幣が搬送される。そして、最後に運用カセットからＲＢ３に紙幣が搬送される。
【００２３】
制御部８は、論理カセットに対応するカセットに収納された紙幣の種類を示すラベル５７と、ラベル５７によって識別される紙幣が収納されていることを示すＬＥＤランプとがＬＥＤ表示部５６に表示され、紙幣の自動精査処理が行われた場合に、後述するカセット管理テーブルに記憶されている搬送元のカセットおよび搬送先のカセットに対応する論理カセットに収納されている種類の紙幣が収納されていることを示すＬＥＤランプを点灯させている。
【００２４】
図８は、カセット管理テーブルである。このテーブルは、精査の前後で、精査対象カセットの紙幣種類が変化するので、それらの状態を管理するために設けられる。物理カセット２０７は、精査対象カセット（ＲＢ１〜ＲＢ３）を示している。論理カセット２０８は各物理カセットに対してシステム上認識可能な論理的なカセットを示す。ここでは論理カセットはＬＧ１〜ＬＧ３の３個であると定義する。紙幣種類２０９は各論理カセットに収納する紙幣種類である。枚数２１０は各紙幣種類の枚数である。
【００２５】
ここでは、a）精査前におけるＲＢ１は論理カセットＬＧ１であり、その収納紙幣種類は１万円札、紙幣枚数は５７８枚、同様にＲＢ２は論理カセットＬＧ２で、収納紙幣種類は五千円札、枚数は３５１枚、ＲＢ３は倫理カセットＬＧ３で、収納紙幣種類は千円札、枚数は４３０枚であることを示している。そして、ｂ）精査後において、ＲＢ１は五千円札を収納するＬＧ２、枚数は３５０枚に変化し、同様にＲＢ２は千円札を収納するＬＧ３で、枚数は４３０枚、ＲＢ３は１万円札を収納するＬＧ１で、枚数は５８０枚に変化したことを示す。
【００２６】
図９Ａ〜９Ｉは、紙幣機構部における精査時の紙幣の搬送状態を示すイメージ図である。図９Ａは、精査前の状態である。図９Ｂおよび９Ｃは、ＲＢ１から運用カセットＲＢ５への紙幣搬送中および搬送後の状態である。図９Ｄおよび９Ｅは、ＲＢ２からＲＢ１への紙幣搬送中および搬送後の状態である。図９Ｆおよび９Ｇは、ＲＢ３からＲＢ２への紙幣搬送中および搬送後の状態である。そして、図９Ｈおよび９Ｉは、運用カセットＲＢ５からＲＢ３への紙幣搬送中および搬送後の状態である。
【００２７】
図１０は、制御部８のメモリに記憶したプログラムの動作フローチャートである。まず、制御部８は、搬送制御テーブル(図７)を作成する(ステップ１０１)。搬送制御テーブルをどのような内容（紙幣の搬送順序）で記載するかについては、あらかじめ定められている。次に、制御部８は、作成された搬送制御テーブル(図７)を基に、精査後のカセット管理テーブル(図８ｂ))を作成する(ステップ１０２)。本テーブルにおいて、各論理カセットの枚数２１０はステップ１０２の時点では空欄とする。
【００２８】
次に、制御部８は、搬送制御テーブル(図７)から、先頭の搬送処理を取得し(ステップ１０３)、取得された搬送処理の搬送先が運用カセットであるか否か、判別を行う(ステップ１０４)。搬送先が運用カセットである場合、制御部８は、ステップ１０３で取得した搬送処理に従って搬送元のカセットから搬送先のカセットへ紙幣を搬送する（ステップ１０５）。
【００２９】
ステップ１０３において、搬送先が運用カセットでなかった場合は、制御部８は、ステップ１０３で取得した搬送処理に従って搬送元のカセットから搬送先のカセットへ紙幣枚数を計数しながら搬送し（ステップ１０６）、そして計数した紙幣枚数をカセット管理テーブル（図８）の当該の搬送先物理カセットの枚数２１０に記録する。
【００３０】
ステップ１０５またはステップ１０６、１０７の後、制御部８は、搬送制御テーブル（図７）から当該の搬送処理を削除する（ステップ１０８）。制御部８は、こうしてすべての搬送処理を削除したかどうか確認し（ステップ１０９）、すべての搬送処理を削除していなかればステップ１０３に戻り、次の搬送処理を行う。制御部８は、すべての搬送処理を削除していた場合、次に、ＬＥＤ点灯処理を行う（ステップ１１０）。精査後の点灯状態は、図６（ｂ)に示されている。
【００３１】
以上、説明したように、この実施形態においては、各カセット間の搬送回数は、搬送制御テーブル（図７）の搬送処理の回数である、４回にすることができる。従来一般手法に基づく紙幣精査処理の場合の搬送回数は６回であるので、搬送回数を削減し、紙幣精査のための所用時間を短縮することができる。
【００３２】
このように、本実施例では、各カセットで管理する紙幣の種類を固定化せずに、どのカセットにも収納可能とし、紙幣精査の手順として、まず、最初の精査対象カセットから運用カセットに紙幣を搬送する。空になった最初の精査対象カセットに対して、２個目の精査対象カセットから紙幣を計数しながら搬送する。同様に空になった２個目の精査対象カセットに３個目の精査対象カセットから紙幣を計数しながら搬送する。こうして、すべての精査対象カセットの紙幣を搬送した後、運用カセットから最後に空になった精査対象カセットに紙幣を計数しながら搬送する。この結果、すべての紙幣は元のカセットから隣のカセットに移動した状態で処理を完了する。そして、当該カセットで管理する紙幣の種類が変化するため、物理的なカセットと紙幣種類毎の論理的なカセットの対応の関係を管理するテーブルを設ける。このテーブルの内容は、ＡＴＭの係員用画面や、装置に設けたＬＥＤ表示などで常に表示、確認可能とする。
【００３３】
上記のような方式とすることで、従来一般技術に対応した簡単で安価な装置においても、紙幣精査のカセット間の搬送回数は、従来一般技術の方式と比べて削減することができる。すなわち、本実施例によれば、複雑で高価な紙幣カセット機構を有する装置によらず、簡単で安価な装置であっても、従来一般技術による紙幣精査よりも搬送回数を削減して、処理時間を短縮できる。さらに、各カセットで管理する紙幣は、紙幣精査を実施する度に、その種類が順番に変化するため、紙幣の種類に起因する出金、入金枚数のばらつきがあったとしても、各カセットの動作回数は平準化し、ローラーなどの部品の消耗のばらつきが解消する、という効果も得られる。
【００３４】
（実施例２）
第２の実施形態においては、特定の種類の紙幣を専用のＲＢに収納する場合の精査処理を説明する。この実施形態においては、専用のＲＢに収納した紙幣は精査処理の前後で他のＲＢに移動することはなく、それ以外の種類の紙幣に対して、搬送回数を削減することで処理時間の短縮を図る。ここでは、ＲＢ１とＲＢ２に１万円札、ＲＢ３に千円札を収納し、さらに、ＲＢ３は千円札専用のカセットである構成とする。ＡＴＭの構成は第１の実施形態における図１から図４と同じであるので、説明を省略する。次に、図１１Ａ〜１５Ｋを参照して、第２の実施形態におけるＡＴＭの動きを説明する。
【００３５】
図１１Ａ〜１１Ｇは、自動精査実施画面のイメージ図である。図１１Ａから１１Ｄは、第１の実施形態における図５Ａ〜５Ｄと同様である。ただし、図５Ｃにおいて表示されるＲＢ１、ＲＢ２、ＲＢ３の紙幣種類は、ＲＢ１とＲＢ２が１万円札、ＲＢ３が千円札である。操作部２が、実施手段選択画面(図１１Ｄ))において、「次へ」の押下を受け付けると、オプションモード選択画面（図１１Ｅ）)が表示される。この画面において、「全対象カセット紙幣互換」ボタンは、第１の実施形態と同様に、すべての精査対象カセットが特定の種類の紙幣に対して専用化されていない場合の精査処理を行うためのものである。本実施形態において、操作部２は、「紙幣互換なしの対象指定」の選択を受け付ける。そして、操作部２は、隣の三つのボタンから、「ＲＢ３」の押下を受け付けることで、制御部８は、ＲＢ３が他の紙幣種類の収納を許さない専用のカセットであることを指示する。次に、操作部２が、「実行」の押下を受け付けると、精査中画面(図１１Ｆ))が表示され、精査動作が始まる。精査終了後、終了画面(図１１Ｇ))が表示される。この画面で、精査後カセットの紙幣種類と枚数を確認した後、操作部２は、「終了」の押下を受け付ける。
【００３６】
図１２は、自動精査前後のＬＥＤ表示のイメージ図である。ここでは、ａ）自動精査実施前において、ＲＢ１とＲＢ２は両方１万円札、ＲＢ３は千円札をそれぞれ収納し、ＲＢ５は運用カセットであることを示している。そして、ｂ）自動精査実施後において、各カセットのＬＥＤ表示状態は変わらず、実施前と同じであることを示している。
【００３７】
図１３は搬送制御テーブルである。このテーブルの目的と構成は、第１の実施形態における搬送制御テーブル（図７）と同じである。本実施形態の紙幣精査処理は、このテーブル（図１３）の記述に従い、まず、最初にＲＢ３から運用カセットに紙幣が搬送される。二番目に運用カセットからＲＢ３に紙幣が搬送される。三番目にＲＢ１から運用カセットに紙幣が搬送される。四番目にＲＢ２からＲＢ１に紙幣が搬送される。そして、最後に運用カセットからＲＢ２に紙幣が搬送される。このように、ＲＢ３は、制御部８によって他の紙幣種類の収納を許さない設定となっているので、ＲＢ３に収納されている紙幣がＲＢ３および運用カセット間を往復する（２回の搬送される）が、ＲＢ１およびＲＢ２に収納されている紙幣は、第１の実施形態と同様に、搬送処理の回数を３回となる。
【００３８】
図１４はカセット管理テーブルである。このテーブルの目的と構成は、第１の実施形態におけるカセット管理テーブル（図１０）と同じである。ここでは、a）精査前におけるＲＢ１は論理カセットＬＧ１であり、その収納紙幣種類は１万円札、紙幣枚数は５７８枚、同様にＲＢ２は論理カセットＬＧ２で、収納紙幣種類は一万円札、枚数は３５１枚、ＲＢ３は倫理カセットＬＧ３で、収納紙幣種類は千円札、枚数は４３０枚であることを示している。そして、ｂ）精査後において、ＲＢ１は一万円札を収納するＬＧ２、枚数は３５０枚に変化し、同様にＲＢ２は一万円札を収納するＬＧ１で、枚数は５８０枚に変化したことを示す。ＲＢ３は精査前と同じ、千円札を収納するＬＧ３で、枚数は４３０枚のままで、変化しなかったことを示す。
【００３９】
図１５Ａ〜１５Ｋは、紙幣機構部における精査時の紙幣の搬送状態を示すイメージ図である。図１５Ａは精査前の状態である。図１５Ｂおよび１５Ｃは、ＲＢ３から運用カセットへの紙幣搬送中および搬送後の状態である。図１５Ｄおよび１５Ｅは、運用カセットからＲＢ３への紙幣搬送中および搬送後の状態である。図１５Ｆおよび１５Ｇは、ＲＢ１から運用カセットへの紙幣搬送中および搬送後の状態である。図１５Ｈおよび１５Ｉは、ＲＢ２からＲＢ１への紙幣搬送中および搬送後の状態である。そして、図１５Ｊおよび１５Ｋは、運用カセットからＲＢ２への紙幣搬送中および搬送後の状態である。
【００４０】
動作フローチャート(図１０)およびフローチャートにおける各ステップの内容については第１の実施形態と共通なので、ここでは説明を省略する。本実施形態においては、各カセット間の搬送回数は、搬送制御テーブル（図１３）の搬送処理の回数である、５回にすることができる。従来一般手法に基づく紙幣精査処理の場合の搬送回数は６回であるので、搬送回数を１回削減し、所用時間を短縮することができる。
【００４１】
このように、本実施例では、ある特定の種類の紙幣を専用のＲＢに収納し、精査処理の前後で他のＲＢに移動させないように制御した場合であっても、実施例１の場合と同様に、それ以外の種類の紙幣に対して、搬送回数を削減することで処理時間の短縮を図ることが可能となる。
【００４２】
なお、上述した各実施例では、１つのＲＢには１種類の紙幣を収納することとしたが、例えば、１つのＲＢに複数の種類の紙幣を収納することが可能なカセットを用いて、紙幣精査時の搬送回数を削減することも可能である。具体的には、図１６Ａに示すように、ＲＢ１およびＲＢ２には、複数の金種（図１６Ａでは２種類の金種）を収納することが可能なＤＲＢ（Ｄｕａｌ  ＲＢ）として、それらの紙幣の収納部であるＲＢ１１およびＲＢ１２、ＲＢ２１およびＲＢ２２に、複数（あるいは同種）の金種の紙幣が収納されている場合、まず、実施例１の場合と同様に、図１６Ｂに示すように、ＲＢ１１に収納された金種の紙幣を運用カセットに搬送した後、図１６Ｃに示すようにＲＢ１１が空の状態となったカセットに、ＲＢ２１に収納されている紙幣を、図１６Ｄに示すように、そのＲＢ１１に搬送して紙幣精査処理を行うこととしてもよい。このとき、搬送制御テーブルは、図１７に示すように、ＲＢ１およびＲＢ２がＤＲＢとなったことに対応して、搬送元および搬送先も、ＲＢ１１やＲＢ２１が指定される。
【００４３】
このように、カセットにＤＲＢ（あるいは２種以上の金種を１つの筺体に収納可能なカセット）を用いることにより、さらに多くの金種の紙幣を収納したり、あるいはある種類の紙幣をより多く収納することができるようになる。また、金種を一定とした場合には、カセットの数を減らすことができるので、省スペースで実施例１のような紙幣精査処理を行うことが可能となる。
【００４４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、これらの各実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４５】
１…現金自動預け払い機
２…金融機関係員操作部
３…一般ユーザー操作部
４…カード／明細票機構部
５…通帳機構部
６…紙幣機構部
７…硬貨機構部
８…制御部
５１…リサイクルボックス(ＲＢ１、ＲＢ１１、ＲＢ１２)
５２…リサイクルボックス(ＲＢ２、ＲＢ２１、ＲＢ２２)
５３…リサイクルボックス(ＲＢ３)
５４…回収庫(ＡＢ４)
５５…リサイクルボックス(ＲＢ５)
５６…ＬＥＤ表示部
５７…ラベル
５８…ＬＥＤランプ。
【図１】
2014115574.tif 000003
【図２】
2014115574.tif 000004
【図３】
2014115574.tif 000005
【図４】
2014115574.tif 000006
【図５Ａ】
2014115574.tif 000007
【図５Ｂ】
2014115574.tif 000008
【図５Ｃ】
2014115574.tif 000009
【図５Ｄ】
2014115574.tif 000010
【図５Ｅ】
2014115574.tif 000011
【図５Ｆ】
2014115574.tif 000012
【図６】
2014115574.tif 000013
【図７】
2014115574.tif 000014
【図８】
2014115574.tif 000015
【図９Ａ】
2014115574.tif 000016
【図９Ｂ】
2014115574.tif 000017
【図９Ｃ】
2014115574.tif 000018
【図９Ｄ】
2014115574.tif 000019
【図９Ｅ】
2014115574.tif 000020
【図９Ｆ】
2014115574.tif 000021
【図９Ｇ】
2014115574.tif 000022
【図９Ｈ】
2014115574.tif 000023
【図９Ｉ】
2014115574.tif 000024
【図１０】
2014115574.tif 000025
【図１１Ａ】
2014115574.tif 000026
【図１１Ｂ】
2014115574.tif 000027
【図１１Ｃ】
2014115574.tif 000028
【図１１Ｄ】
2014115574.tif 000029
【図１１Ｅ】
2014115574.tif 000030
【図１１Ｆ】
2014115574.tif 000031
【図１１Ｇ】
2014115574.tif 000032
【図１２】
2014115574.tif 000033
【図１３】
2014115574.tif 000034
【図１４】
2014115574.tif 000035
【図１５Ａ】
2014115574.tif 000036
【図１５Ｂ】
2014115574.tif 000037
【図１５Ｃ】
2014115574.tif 000038
【図１５Ｄ】
2014115574.tif 000039
【図１５Ｅ】
2014115574.tif 000040
【図１５Ｆ】
2014115574.tif 000041
【図１５Ｇ】
2014115574.tif 000042
【図１５Ｈ】
2014115574.tif 000043
【図１５Ｉ】
2014115574.tif 000044
【図１５Ｊ】
2014115574.tif 000045
【図１５Ｋ】
2014115574.tif 000046
【図１６Ａ】
2014115574.tif 000047
【図１６Ｂ】
2014115574.tif 000048
【図１６Ｃ】
2014115574.tif 000049
【図１６Ｄ】
2014115574.tif 000050
【図１７】
2014115574.tif 000051
【国際調査報告】
2014115574.tif 000052
2014115574.tif 000053